(57)【要約】【課題】コイン送出装置４０内にコインを迅速且つ円滑に供給可能なコイン投入部４１を備えた遊技機１を提供すること。【解決手段】遊技機１は、投入コイン送出装置４０のコイン投入部４１の上方から任意の姿勢状態で所定の拡散状態をもった複数枚のコインＭがコイン投入部４１のコイン投入口４１ａ内に投入されると、各コインＭが当接する誘導部４１ｂによって互いに異なる方向にはね返り、互いに異なる速度で上方から下方に移動し、コイン供給口４１ｃに集めるように誘導する。したがって、コイン供給口４１ｃにコインが集中するのを防ぎ、コイン供給口４１ｃから迅速且つ円滑にコイン送出装置４０のコイン通路部４２内にコインを供給することができる。【選択図】図３
2006141842.tif 000002
【特許請求の範囲】
【請求項１】
コインの外径より広く開口し、該コインを任意の姿勢状態で投入可能なコイン投入口と、該コイン投入口の辺部から下方に向かうに従って漸次狭窄する誘導部と、該誘導部の下端部で下方に向かって開口するコイン供給口とを有するコイン投入部と、
該コイン投入部の下方位置に設けられ、前記コイン供給口から供給された任意の姿勢状態のコインを所定の姿勢状態に変更すると共に、該コインの受け入れを認識する投入コイン認識手段と、を備えた遊技機において、
前記コイン投入部の誘導部は、
互いに対向する側壁面がコインの投入方向に対してそれぞれ異なる傾斜角をもって傾斜するようにしたことを特徴とする遊技機。
【請求項２】
前記コイン投入部のコイン投入口は略矩形状を有し、上方に向かって開口形成され、
前記コイン投入部の誘導部は、前記コイン投入口から下方に移行するにしたがって漸次互いに接近する一対の傾斜側壁部と、該一対の傾斜側壁部の互いに対向する一端側を連結し、前記コイン投入口から投入された前記コインを受ける受け壁部と、該一対の傾斜側壁部の互いに対向する他端側を連結し、該受け壁部に対向配置される奥壁部とを有することを特徴とする請求項１に記載の遊技機。
【請求項３】
前記一対の傾斜側壁部、前記受け壁部および前記奥壁部のコイン投入方向に対する各々の傾斜角は相互に異なっていることを特徴とする請求項２に記載の遊技機。
【請求項４】
前記コイン供給口は、前記コインの外径より若干大きい径で開口形成され、コイン投入部の下端部分を１枚のコインが通過できる程度の窮屈な形状としたことを特徴とする請求項１〜３のいずれか１項に記載の遊技機。
【請求項５】
前記誘導部の互いに対向する側壁面の少なくとも一方は、前記投入口の辺部から下方に所定の距離だけコインの投入方向に対して所定の傾斜角をもって移行し、該所定の距離まで到達してから前記誘導部の下端部までは該所定の傾斜角と異なる傾斜角をもって移行するようにしたことを特徴とする請求項１〜４のいずれか１項に記載の遊技機。
【発明の詳細な説明】
【技術分野】
【０００１】
本発明は、任意の姿勢状態でコインが投入されるコイン投入部と、そのコイン投入部の下流側でコインを所定の姿勢状態に整えると共にコインの受け入れを認識する投入コイン認識手段を有する遊技機に関する。
【背景技術】
【０００２】
スロットマシン等に代表される遊技機は、遊技価値媒体であるコイン（メダル）を使用してゲームを楽しむように構成されており、通常１回のゲームに複数枚のコインを投入可能に設定されている。そして、従来の遊技機へのコインの投入は、コインを上下に起立させた姿勢状態として１枚ずつ行われている。
【０００３】
図１５は、従来の遊技機に設けられているコイン投入部１０１の構成を説明する図である。コイン投入部１０１は、図示していない遊技機の正面に設けられており、遊技機の手前から奥に向かって若干の登り傾斜を伴って延在する断面が凹円弧状の底部１０２ａを有する保持レール１０２と、保持レール１０２の奥側の端部に連続して穿設されて前壁１０３ａと背面壁１０３ｂと側壁１０３ｃ、１０３ｄで囲われた一枚のコインＭが挿通する長方形状のコイン投入口１０３を有している。
【０００４】
上記構成を有するコイン投入部１０１の場合、遊技機の手前側の下部に設けられているコイン受け皿等から複数枚のコインＭを掴み取り、掌の上でコインＭを重ね合わせて縦列並びに整列させて、コイン投入部１０１の保持レール１０２上に載置し、コインＭの端部を押して保持レール１０２の奥側に移動させることによって、コイン投入口１０３にコインＭを一枚ずつ連続して投入していた。
【０００５】
しかしながら、掌の上でコインＭを重ね合わせて縦列並びに整列させたり、整列したコインＭを手に持って保持レール１０２上に載置したり、保持レール１０２上に載置したコインＭの端部をコイン投入口１０３側へ押して１枚ずつコイン投入口１０３から落下させる操作は簡単なように見えるが、実際には難しく、慣れを要する。よって、不慣れな遊技者はコインＭの投入を円滑に行うことができず、テンポよくゲームを行うことが困難であった。また、長い時間コインＭに触れることによって遊技者の手にコインＭの汚れが付着するという問題があった。そこで、従来より、コインＭを容易に投入することができる装置が種々提案されている。
【０００６】
（第１の従来例）
遊技機のコイン投入口の上方に取り付けられ、上部開口部より任意の姿勢状態で投入された複数枚のコインを、螺旋状スロープによって一旦強制的に寝かせた姿勢状態とし、螺旋状スロープの下方位置に傾斜配置されたコイン調節筒部内を通過させることによって縦状に整列させて１枚ずつ順番に連続してコイン投入口に供給するものが提案されている（特許文献１を参照）。
【０００７】
（第２の従来例）
遊技機の投入口から任意の姿勢状態で投入された複数枚のコインをコイン受け部で受けて、コイン受け部内で駆動手段によって上下方向に移動されるスライド板の下方への移動によってコインを起立させ、下端でスライド板の上端面に載置し、スライド板の上昇移動によってコインを起立姿勢状態のままでコインレール部まで持ち上げ、コインレール部に受け渡して、コインレール部に連続するコイン排出口から１枚ずつ順番に連続して送り出すコイン送り出し装置が提案されている（特許文献２を参照）。
【０００８】
（第３の従来例）
遊技機の前面に設けられた一括投入口に任意の姿勢状態で一括して投入された複数枚のコインを、搬送ベルトの上面に載置して装置本体の奥行き方向に搬送し、その搬送途中で搬送ベルトの上面にコイン１枚分の間隔を隔てて対設された分離ローラを搬送ベルトの送り方向と反対向きに回転させることによって、搬送ベルト上で山積み状態のコインを崩して一枚ずつ分離しながら取り込む装置が提案されている（特許文献３を参照）。
【０００９】
【特許文献１】特開２００３−２１７００１公報
【特許文献２】特開２００３−７９８０５公報
【特許文献３】特開２００３−２４５４０６公報
【発明の開示】
【発明が解決しようとする課題】
【００１０】
しかしながら、第１の従来例の場合、上部開口部より任意の姿勢状態で投入された複数枚のコインを一旦強制的に寝かせた姿勢状態にする螺旋状スロープは、水平方向に大きなスペースを必要とし、また、強制的に寝かせたコインを縦状に整列させるコイン調節筒部は、その過程からある程度の長さを必要とし、上下方向に大きなスペースを必要とする。したがって、全体的に大型化し、遊技機の正面から前方に突出して、遊技の妨げになるおそれがある。
【００１１】
そして、第２の従来例の場合、コイン受け部の下方に存在するコインをスライド板の下方移動によって起立させ、更に上方のコインレール部まで持ち上げる動作を行う必要がある。したがって、迅速にコインを送り出すことができず、要求される処理速度を確保することが困難で、遊技者にストレスを与え、遊技場の経営者には回転率の低下による売り上げ減少という不利益を与えるおそれがある。また、上記装置は構造が複雑であり、部品点数の増加により製品コストが高騰するという問題がある。
【００１２】
また、第３の従来例の場合、コインを搬送ベルトの上に載置して、上流側から下流側まで搬送する必要がある。したがって、迅速にコインを取り込むことができず、要求される処理速度を確保することが困難であり、遊技者にストレスを与え、遊技場の経営者には回転率の低下による売り上げ減少という不利益を与えるおそれがある。
【００１３】
本発明者は、上記課題を鑑みて、特願２００４−９２０１８の特許出願により、遊技機の中に容易に設置可能な大きさでかつ簡単な構成を有し、コイン投入口に投入されたコインをコイン送出口から迅速に送り出し、下流側のコイン受入認識装置に供給することができる投入コイン送出装置を備えた遊技機を提案している。
【００１４】
本発明は、本発明者が発明した上記遊技機の改良発明に係わるものであり、コイン投入部の形状を改良して、コイン送出装置内にコインを迅速且つ円滑に供給可能なコイン投入部を備えた遊技機を提供することを目的としてなされたものである。
【課題を解決するための手段】
【００１５】
上記課題を解決する請求項１に記載した遊技機の発明は、
コインの外径より広く開口し、該コインを任意の姿勢状態で投入可能なコイン投入口と、該コイン投入口の辺部から下方に向かうに従って漸次狭窄する誘導部と、該誘導部の下端部で下方に向かって開口するコイン供給口とを有するコイン投入部と、該コイン投入部の下方位置に設けられ、コイン供給口から供給された任意の姿勢状態のコインを所定の姿勢状態に変更すると共に、該コインの受け入れを認識する投入コイン認識手段とを備えた遊技機において、コイン投入部の誘導部は、互いに対向する側壁面がコインの投入方向に対してそれぞれ異なる傾斜角をもって傾斜するようにしたことを特徴とする。
【００１６】
請求項１に記載の発明によれば、コイン投入部はコイン投入口からコイン供給口に移行するに従って狭窄するロート状に形成され、且つコイン供給口がコイン投入口に対して所定方向に偏倚して形成されている。これにより、複数枚のコインが任意の姿勢状態でまとめて投入されると、各コインは該コインの当接する誘導部の傾斜角に応じて互いに異なる方向にはね返って、互いに異なる速度でコイン供給口へ向けて集まるように誘導することができる。よって、コイン供給口でコインの誘導方向先端部同士の接触等が生じると、誘導速度に違いによりコインに作用する力のバランスが崩れているので、かかる接触等を崩すことができる。したがって、コイン供給口から迅速且つ円滑にコインを下流側の投入コイン認識手段へ送り出すことができるので、投入コイン認識手段による認識を迅速且つ適切に行わせることができる。
【００１７】
請求項２に記載の発明は、請求項１に記載した遊技機において、
コイン投入部のコイン投入口は略矩形状を有し、上方に向かって開口形成され、コイン投入部の誘導部は、コイン投入口から下方に移行するにしたがって漸次互いに接近する一対の傾斜側壁部と、該一対の傾斜側壁部の互いに対向する一端側を連結し、コイン投入口から投入されたコインを受ける受け壁部と、該一対の傾斜側壁部の互いに対向する他端側を連結し、該受け壁部に対向配置される奥壁部とを有することを特徴とする。
【００１８】
請求項２に記載の発明は、本発明者の鋭意研究によって好ましいコイン投入部の形状を見出したものである。これによれば、コイン投入口の上方から任意の姿勢状態で所定の拡散状態をもって投入される複数枚のコインを受け壁部上で積極的に傾倒した姿勢状態にし、一対の傾斜側壁部と協働してコインを円滑にコイン供給口に誘導することができる。したがって、投入コイン認識手段への迅速且つ円滑なコインの送り出しを確実なものとすることができる。
【００１９】
請求項３に記載の発明は、請求項２に記載した遊技機において、
一対の傾斜側壁部、受け壁部および奥壁部のコイン投入方向に対する各々の傾斜角は相互に異なっていることを特徴とする。
【００２０】
請求項３に記載の発明は、誘導部を構成する一対の傾斜側壁部、受け壁部および奥壁部の各々の傾斜角を限定したものであり、これによれば、投入された各コインが当接する一対の傾斜側壁部、受け壁部および奥壁部に応じて互いに異なる速度で上方から下方に移動するので、コイン供給口へ向けたコインの誘導速度に差異を生じさせることができる。これにより、コインを誘導する壁部に応じてコイン供給口でコインに作用する力のバランスが崩れ、誘導されたコインの円滑且つ迅速なコインの送り出しを確保することができる。したがって、コイン供給口におけるコイン詰まり等の不具合の発生頻度を低下させることができる。
【００２１】
請求項４に記載の発明は、請求項１〜３に記載した遊技機において、
コイン供給口は、コインの外径より若干大きい径で開口形成され、コイン投入部の下端部分を１枚のコインが通過できる程度の窮屈な形状としたことを特徴とする。
【００２２】
請求項４に記載の発明は、コイン投入部のコイン供給口の構成を限定したものであり、これによれば、コイン投入口内に投入された無秩序な姿勢状態の複数枚のコインを、コイン供給口へ向けて上方から下方に移動するに従って誘導部によって傾倒した姿勢状態にしつつ、コインの移動方向に１枚ずつ整列した状態で集めることができる。したがって、下流側の投入コイン認識手段には１枚ずつ順番にコインが供給されることになるので、投入コイン認識手段の円滑な動作を確保することができる。
【００２３】
請求項５に記載の発明は、請求項１〜４に記載した遊技機において、
誘導部の互いに対向する側壁面の少なくとも一方は、投入口の辺部から下方に所定の距離だけコインの投入方向に対して所定の傾斜角をもって移行し、該所定の距離まで到達してから誘導部の下端部までは該所定の傾斜角と異なる傾斜角をもって移行するようにしたことを特徴とする。
【００２４】
請求項５に記載の発明は、コイン投入部の誘導部の構成を限定したものであり、これによれば、誘導部の互いに対向する少なくとも一方の側壁面は、コインの投入方向に対して２種類の傾斜角をもって下方に向かって移行するように形成されている。これにより、投入されたコインをコイン供給口に誘導する速度にさらに差異を生じさせることができ、下流側の投入コイン認識手段へコインを円滑に供給することができる。
【発明の効果】
【００２５】
本発明にかかる遊技機によれば、コイン投入部の誘導部を、対向する側壁面がコインの投入方向に対して異なる傾斜角となるように傾斜させたので、コイン投入口から所定の姿勢状態で所定の拡散状態をもって投入されたコインを、コインが当接した誘導部に応じて異なる速度で下方のコイン供給口に誘導することができる。したがって、コインがコイン供給口で集中するのを防ぐので、迅速且つ円滑に下方の投入コイン認識手段に送り出すことができる。
【発明を実施するための最良の形態】
【００２６】
以下、本発明の第１実施の形態について遊技機の一例としてスロットマシンの場合を例に図面に基づいて説明する。図１は、スロットマシン１の前面扉３が閉じた状態を示す斜視図、図２は、スロットマシン１の前面扉３を開いた状態を示した斜視図である。スロットマシン１は、図１に示すように、本体２と前面扉３とからなる正面視略矩形状の筐体４を有している。
【００２７】
本体２は、スロットマシン１の骨格をなす部材であり、図２に示すように、前面が開放された箱形状を有している。本体２の内部には、各種の図柄等が表示される複数個の回転ドラム１１と、スロットマシン１の遊技動作を制御するメイン制御基板６０（図１２を参照）等を収納した制御基板収納ボックス１２と、電源スイッチ１３ａ、リセットスイッチ１３ｂ、設定キースイッチ１３ｃなどを備える電源ボックス１３と、遊技価値媒体であるコインＭを貯留する補助タンク１４ａ、及び補助タンク１４ａ内のコインＭを排出用通路９からコイン払出口７に払い出す支払装置１４ｂを備えたホッパ１４等が収容されている。
【００２８】
前面扉３は、図２に示すように、左側辺部の上下２カ所がヒンジ５によって本体２に連結されて取り付けられており、本体２の前面開放部分を容易に閉塞及び開放できるように構成されている。
【００２９】
前面扉３は、図１に示すように、上方から下方に向かって順番に表示部３Ａ、操作部３Ｂ、貯留部３Ｃの３つの部分を備えている。表示部３Ａは、前面扉３の上辺に沿って設けられ遊技の進行に伴って点灯・点滅する上部ランプ２１と、上部ランプ２１の下方位置で左右両側に各々配置されて種々の効果音等を発生させる一対のスピーカ２２と、これら一対のスピーカ２２の間に配設されて画像・映像などの種々の情報を表示する液晶ディスプレイ２３を有している。また、表示部３Ａの略中央高さ位置には、筐体４内で回転する複数個の回転ドラム１１をそれぞれ視認するための透明窓２４が設けられており、透明窓２４の左側にはコインＭのベット数（賭け数）に応じて点灯するベットランプ２５が配設されている。そして、表示部３Ａの下部には、左側から右側に向かって順番にクレジット枚数表示部２６、ゲーム数表示部２７、払出枚数表示部２８が設けられている。
【００３０】
操作部３Ｂは、表示部３Ａの下端で折曲されて手前側に向かって延在する平面部分Ｆと、その平面部分の手前側の端部で折曲されて下方に向かって垂下する縦壁部分Ｈを有しており、平面部分Ｆには、左側位置に１枚用と２枚用のベットボタン３１、３２が設けられ、その右側近傍位置に３枚用のベットボタン３３が設けられている。そして、平面部分Ｆの右側位置には、後述する投入コイン送出装置４０のコイン投入部４１が配設されている。
【００３１】
縦壁部分Ｈの上部には左側から右側に向かって順番に、コインＭを貯留するか否かを選択するためのクレジットボタン３４、回転ドラム１１の回転開始を指示するためのスタートレバー３５、回転ドラム１１の回転停止を指示するためのストップボタン３６が設けられている。スタートレバー３５は、縦壁部分Ｈから手前側に向かって突設されており、下方に押し下げる、或いは上方に押し上げることによって操作される。ストップボタン３６は、各回転ドラム１１に対応する位置にそれぞれ配設されており、押し動作によって操作される。また、操作部３Ｂの下部には、機種名や遊技に関わるキャラクタ等が表示された表示プレート３７等が設けられている。
【００３２】
貯留部３Ｃは、操作部３Ｂの下方位置で左右方向に亘って延在するように配置形成されており、コイン払出口７から払い出されたコインＭを受けて貯留するコイン受け皿１６や灰皿１７等が設けられている。
【００３３】
次に、投入コイン送出装置４０について図３〜図８を参照しつつ説明する。図３は、投入コイン送出装置４０の斜視図、図４は、投入コイン送出装置４０の正面図、図５は、投入コイン送出装置４０の縦断面図、図６は、図５におけるＡ−Ａ線断面図、図７は、同じく図５におけるＢ−Ｂ線断面図、図８（ａ）は、コイン投入部４１の平面図、図８（ｂ）は、コイン投入部４１の正面図である。
【００３４】
投入コイン送出装置４０は、任意の姿勢状態で所定の拡散状態を持って投入された複数枚のコインＭを、コイン送出口４２ｃから順番に送出して、後述するセレクタ５０に供給するためのものである。投入コイン送出装置４０は、図３に示すように、コイン投入部４１、コイン通路部４２、振動手段４３を備えている。
【００３５】
コイン投入部４１は、スロットマシン１の前面扉３に取り付け固定されており、操作部３Ｂの平面部分Ｆ（図１参照）に露出して略水平に延在するコイン投入口４１ａと、コイン投入口４１ａから下方に移行するに従って漸次狭窄する誘導部４１ｂと、誘導部４１ｂの下端部で下方に向かって開口するコイン供給口４１ｃを有している。
【００３６】
コイン投入口４１ａは、複数枚のコインＭを所定範囲内で略水平方向に拡散した状態で一括投入可能な大きさで上方に向かって開口する形状を有しており、例えば、本実施の形態では略矩形状を有し、コイン受け皿１６等から複数枚のコインＭを掴み取り、そのままコイン投入口４１ａの上まで移動させて掌を開いた場合に、掌の中にある全てのコインＭをコイン投入口４１ａ内に入れることができる程度の大きさに形成されている。したがって、コイン投入口４１ａは、コイン投入口４１ａの上方から投入されるコインＭをコイン投入口４１ａ内において鉛直方向下向きに落下させることができるように構成されている。
【００３７】
誘導部４１ｂは、コイン投入口４１ａの左側辺部および右側辺部から下方に移行するに従って漸次互いに接近する左右一対の傾斜側壁面４１ｄ、４１ｅと、コイン投入口４１ａの手前側辺部から下方に移行するに従って漸次奥行き方向に移行するように傾斜し、コイン投入口４１ａの上方から投入されたコインＭを受ける受け壁面４１ｆと、コイン投入口４１ａの奥側辺部から垂下し、受け壁面４１ｆに対向配置される奥壁面４１ｇを有している。
【００３８】
左右一対の傾斜側壁面４１ｄ、４１ｅは、投入されたコインＭが当接してはね返ることによって下方のコイン供給口４１ｃへ円滑に誘導できるように所定の傾斜角を有している。互いに対向する左右の傾斜側壁面４１ｄ、４１ｅは、コインＭの投入方向に対して互いに異なる傾斜角を持って傾斜形成されているのが好ましい。
【００３９】
例えば、左側の傾斜側壁面４１ｄは、図６および図７に示すように、右側の傾斜側壁面４１ｅより大きな傾斜角を有してコイン投入口４１ａの開口中心方向に延出して急激な傾斜面を形成しており、当接したコインＭを右側の傾斜側壁面４１ｅに当接したときより迅速にコイン供給口４１ｃに誘導できるように構成されている。一方、右側の傾斜側壁面４１ｅは、図６および図７に示すように、左側の傾斜側壁面４１ｄより小さな傾斜角を有してコイン投入口４１ａの中心付近まで延出して、なだらかな傾斜面を形成しており、当接したコインＭを左側の傾斜側壁面４１ｄに当接したときよりゆっくりコイン供給口４１ｃに誘導できるように構成されている。
【００４０】
受け壁面４１ｆは、コイン投入口４１ａの中心付近まで延出しており、コイン投入口４１ａの上方から落下させたコインＭを、受け壁面４１ｆ上で左右方向に積極的に傾倒させて、コイン供給口４１ｃに向かって円滑に導くことができる傾斜角を有するように傾斜形成されている。
【００４１】
また、左右一対の傾斜側壁面４１ｄ、４１ｅおよび受け壁面４１ｆは、コイン投入口４１ａの上方から複数枚のコインＭが所定範囲の拡散状態を持って投入されると、コインＭが起立した姿勢状態であるときには左右の傾斜側壁面４１ｄ、４１ｅおよび受け壁面４１ｆによって左右方向に積極的に傾倒させた姿勢状態とし、その状態でこれらの壁面に沿ってコイン供給口４１ｃへ向けて誘導できるように構成されている。一方、投入されたコインＭが既に傾倒した状態であるときには、左右の傾斜側壁面４１ｄ、４１ｅおよび受け壁面４１ｆ上に沿ってコイン供給口４１ｃへ向けて誘導できるように構成されている。また、コインＭが重なった状態で投入されたときには、受け壁面４１ｆ上を移動しながら左右の傾斜側壁面４１ｄ、４１ｅによって重なりを崩してコイン供給口４１ｃに誘導できるように構成されている。
【００４２】
奥壁面４１ｇは、コイン投入口４１ａの奥側辺部からほぼ鉛直方向に垂下するような傾斜角を持ってコイン投入口４１ａの中心方向に延出している。互いに対向する受け壁面４１ｆと奥壁面４１ｇは、コインＭの投入方向に対して異なる傾斜角を持って下方に向かって傾斜形成されているのが好ましい。
【００４３】
このように対向関係にある左右の傾斜側壁面４１ｄ、４１ｅと、受け壁面４１ｆおよび奥壁面４１ｇがそれぞれ互いに異なる傾斜角を有することによって、投入されたコインＭの当接する壁面に応じて異なる速度で下方のコイン供給口４１ｃに向けて誘導することができる。これは、誘導部４１ｂの対向関係にある壁面（本実施の形態の場合、左右の傾斜側壁面４１ｄ、４１ｅの関係および受け壁面４１ｆと奥壁面４１ｇの関係）が同一の傾斜角を有していると、複数枚のコインＭがまとめて投入されたときに、誘導部４１ｂに当接してはね返った各コインＭが同じ速度で上方から下方に移動し、コイン供給口４１ｃに集中して誘導されることによって、コイン詰まり等の不具合を発生させるからである。
【００４４】
すなわち、同一の傾斜角により同一の誘導速度をもってコイン供給口４１ｃにコインＭが集められると、例えば、対向する傾斜面に沿って誘導されたコインＭの誘導方向先端部同士の接触等が生じたときに、先端部同士が接触したコインＭに作用する力のバランスが保たれる。これにより、コイン供給口４１ｃにて先端部同士が接触したコインＭが静止した状態となってコイン詰まり等の不具合が発生する場合がある。
【００４５】
一方、本実施の形態のように傾斜角の違いにより異なる誘導速度をもってコイン供給口４１ｃにコインＭが集められると、例えば、対向する傾斜面に沿って誘導されたコインＭの誘導方向先端部同士の接触等が生じたときに、先端部同士が接触したコインＭに作用する力のバランスが崩される。したがって、誘導部４１ｂによって誘導されたコインＭがコイン供給口４１ｃに集中するのを防ぎ、コイン供給口４１ｃにおいてコインＭによる詰まり等の不具合の発生を回避し、コインＭを迅速且つ円滑に送り出すことができる。
【００４６】
そしてまた、誘導部４１ｂの対向関係にある傾斜角がコインＭの投入方向に対して互いに異なるだけでなく、左右の傾斜側壁面４１ｄ、４１ｅ、受け壁面４１ｆおよび奥壁面４１ｇの関係で傾斜角がコインＭの投入方向に対して互いに異なるように構成されるのが特に好ましい。これにより、複数枚のコインの各コインＭが当接する左右の傾斜側壁面４１ｄ、４１ｅ、受け壁面４１ｆおよび奥壁面４１ｇの傾斜角に応じて互いに異なる方向にはね返り、互いに異なる速度で上方から下方に移動するので、コイン供給口４１ｃに向けてのコインＭの誘導速度に差異を生じさせることができる。従って、コイン詰まり等の不具合の発生頻度を低下させ、コイン供給口４１ｃからのコインＭの送出をより円滑且つ迅速なものとすることができる。
【００４７】
さらに、誘導部４１ｂの左右の傾斜側壁面４１ｄ、４１ｅ、受け壁面４１ｆおよび奥壁面４１ｇの中で、少なくとも１つの壁面については、コイン投入口４１ａの辺部からコインＭの投入方向に対して所定の傾斜角をもって下方に移行し、コイン投入口４１ａの辺部から所定の距離に到達してから誘導部４１ｂの下端部までは、所定の傾斜角と異なる傾斜角をもって移行するように構成することもできる。これにより、その壁面には、２種類の傾斜角を設定するように形成されるので、投入されたコインＭをコイン供給口４１ｃに誘導する速度にさらに差異を生じさせることができ、下流側のコイン通路部４２へコインＭを円滑に供給することができる。
【００４８】
コイン供給口４１ｃは、左右一対の傾斜側壁面４１ｄ、４１ｅ、受け壁面４１ｆおよび奥壁面４１ｇの各下端部の間を連結するように延在する底壁面４１ｈに開口形成されており、受け壁面４１ｆに対向して配置され、ほぼ円形状に開口形成されている。コイン供給口４１ｃは、コインＭの外径よりも若干大きく開口形成され、誘導部４１ｂによって左右方向に傾倒した姿勢状態の１枚のコインＭが上方から下方に向かって通過できる程度の窮屈な形状となるように構成されている。そして、コイン供給口４１ｃは、誘導部４１ｂの互いに対向する壁面の傾斜角が異なっているので、コイン投入口４１ａに対して所定方向に偏倚して形成されている（図４を参照）。
【００４９】
これにより、コイン投入口４１ａ内に所定の拡散状態を有して無秩序な姿勢状態で投入されたコインＭを、上方から下方に移動するに従って、誘導部４１ｂによって傾倒した姿勢状態にしつつコイン供給口４１ｃに１枚ずつ整列した状態で集めることができる。
【００５０】
また、コイン供給口４１ｃには、図８（ｂ）に示すように、コイン供給口４１ｃを基端部として下方に向かって所定の高さで突出して、コイン通路部４２のコイン送入口４２ｆに嵌入する嵌合部４１ｊが形成されている。嵌合部４１ｊの左側先端部分はさらに下方に突出するように構成されている。これにより、コイン通路部４２への取り付け固定を確実なものとすることができる。
【００５１】
上記構成のコイン投入部４１により、コイン受け皿１６等から複数枚のコインＭを掴み取り、そのままコイン投入口４１ａの上まで移動させて掌を開くのみで、掌の中にある全てのコインＭをコイン投入口４１ａ内に容易に投入することができる。
【００５２】
また、コイン投入口４１ａから下方に向かって移動するコインＭを、誘導部４１ｂによってコイン供給口４１ｃに集める方向に積極的に移動させることができるように案内し、コイン供給口４１ｃに円滑に導くことができる。
【００５３】
特に、誘導部４１ｂの傾斜角は、コインＭの投入方向に対して互いに対向する壁面の傾斜角を異なるように構成したので、投入された複数枚のコインの各コインＭが当接する誘導部に応じて互いに異なる方向にはね返り、互いに異なる速度でコイン供給口４１ｃへ向けて誘導することができる。
【００５４】
そして、コイン供給口４１ｃは、コインＭの外径より若干大きい径をもって開口形成され、コイン投入部４１の下端部分を窮屈な形状に形成しているので、誘導部４１ｂに沿って誘導されたコインＭを順番に１枚ずつ迅速且つ円滑に送り出すことができる。
【００５５】
次に、投入コイン送出装置４０のコイン通路部４２および振動手段４３と、セレクタ５０について図９〜図１１を参照しつつ説明する。図９は、コイン投入部４１を取り外した状態の投入コイン送出装置４０の斜視図、図１０は、投入コイン送出装置４０およびセレクタ５０を説明する図、図１１は、セレクタ５０の内部構造を示す図である。
【００５６】
コイン通路部４２、振動手段４３およびセレクタ５０は、投入コイン送出装置４０のコイン投入部４１から供給されたコインＭをコイン通路部４２内で振動手段４３によって所定の姿勢状態に整えて下流側のセレクタ５０に送出し、セレクタ５０に受け入れたコインＭを認識できるように構成されており、投入コイン認識手段として形成されている。
【００５７】
コイン通路部４２は、防振ゴムＧ（図１０を参照）を介して支持フレーム４４に取り付け支持されている。支持フレーム４４は、左右方向に離間して筐体４の手前側から奥側に向かって延在するように前面扉３に取り付け固定される左右一対の縦フレーム部４４ａ、４４ｂと、両縦フレーム部４４ａ、４４ｂの先端部間及び後端部間を筐体４の左右方向に延在して連結する前フレーム部４４ｃと後フレーム部４４ｄを備えている。
【００５８】
コイン通路部４２は、コイン投入部４１の下部に連続して下方傾斜して延在し、所定の曲率半径で湾曲した凹状の横断面を有する凹状底部４２ａと、その凹状底部４２ａに沿って終端部分まで移動してきたコインＭが触突するコイン触突壁４２ｂと、コイン触突壁４２ｂに沿って凹状底部４２ａに開口するコイン送出口４２ｃを有している。
【００５９】
本実施の形態では、コイン通路部４２は、コインＭの外径よりもやや大きい内径で延在する円形の内孔４２ｄを有した円筒体４２ｅによって構成されており、内孔４２ｄが凹状底部４２ａを備えている。
【００６０】
円筒体４２ｅは、先端部分に開口するコイン送入口４２ｆがコイン供給口４１ｃの下部に連続するように対向配置され、図９に示すように、コイン投入部４１がコイン通路部４２に取り付け固定できるように、コイン投入部４１の嵌合部４１ｊの形状に対応した形状を有している。
【００６１】
また、円筒体４２ｅの内孔４２ｄが水平方向に対して所定の傾斜角で下方傾斜して延在するように支持フレーム４４に支持されている。例えば、本実施の形態において、１５度から２０度の間の傾斜角で下方傾斜して延在するように支持フレーム４４に支持されている。尚、上記の下方傾斜の角度は、１５度から２０度の間の値に限定されるものではなく、内孔４２ｄ内をコインＭが自重によって上方から下方に向かって滑り落ちながら円滑に移動可能な角度であればよい。
【００６２】
円筒体４２ｅの内孔４２ｄは、内孔４２ｄ内でコインＭを内孔４２ｄの軸方向に沿って延在するように配置した場合に、内孔４２ｄの径方向、換言すると、コインＭの移動方向に直交する方向に位置するコインＭの両側端部をそれぞれ点接触により支持し、その両側端部を中心として容易に回動可能な不安定な姿勢状態（シーソーのような状態）で移動させることができる大きさの内径を有している。
【００６３】
コイン触突壁４２ｂは、内孔４２ｄの径方向に沿って上下に平面状に延在して円筒体４２ｅの終端部分を閉鎖するように設けられており、内孔４２ｄの軸方向に沿った不安定な姿勢状態で内孔４２ｄ内を移動してきたコインＭが触れて突き当たることによって、より安定した姿勢状態である、コイン触突壁４２ｂに沿って起立する姿勢状態に姿勢を変更することができるように構成されている。
【００６４】
コイン送出口４２ｃは、コイン触突壁４２ｂに沿ってコインＭの径よりも広い幅で延在すると共に、コイン触突壁４２ｂから円筒体４２ｅの軸方向にコインＭの１枚分の厚さよりも広くかつ２枚分の厚さよりも狭い間隙を有しており、コイン触突壁４２ｂに沿って当接して起立する姿勢状態のコインＭが自重により落下し、コイン通路部４２から下方に送り出すことができるように凹状底部４２ａに開口形成されている。
【００６５】
コイン触突壁４２ｂよりも円筒体４２ｅの軸方向に沿って下方に離間した位置には、横軸部４２ｇが設けられている。横軸部４２ｇは、円筒体４２ｅから側方に向かって突出するように設けられており、縦フレーム部４４ａ、４４ｂに形成されている横軸受けに防振ゴムを間に介して支持されて、円筒体４２ｅの終端部分側を中心として先端部分側を上下方向に揺動可能に支持している。
【００６６】
また、円筒体４２ｅの先端部分の下部には、縦軸部４２ｈが設けられている。縦軸部４２ｈは、円筒体４２ｅの軸心に直交して垂下するように突設されており、前フレーム部４４ｃに開口形成されている縦軸受け孔４４ｆに防振ゴムＧを間に介して支持されている。
【００６７】
振動手段４３は、電動モータ４３ａとウェイト４３ｂを備えており、コイン触突壁４２ｂの裏面側に取り付け支持されている。電動モータ４３ａは、サブ制御基板６５による電源の供給制御によって回転駆動される構成を有しており、本実施の形態では、直流電源により駆動されるＤＣモータが用いられている。電動モータ４３ａは、コイン触突壁４２ｂの裏面側に連続して形成された円筒状のモータケース４２ｉに収容されており、モータ回転軸が円筒体４２ｅの軸方向に直交して上下方向に延在するように固定支持されている。
【００６８】
ウェイト４３ｂは、モータケース４２ｉから上方に突出するモータ回転軸の先端に偏位して取り付けられており、電動モータ４３ａの回転駆動によって、モータ回転軸に直交する方向に振幅する振動を発生させることができるように構成されている。したがって、コイン通路部４２は、モータケース４２ｉを介して伝達される振動によって、所定の方向に振動することができる。尚、図中で符号４２ｊは、ウェイト４３ｂを覆うウェイトカバーである。
【００６９】
また、上記構成を有するコイン通路部４２には、円筒体４２ｅ内にコインＭが存在するか否かを検出するためのコイン存在検出センサ４５が設けられている。コイン存在検出センサ４５は、本実施の形態では、一対の投光部４５ａと受光部４５ｂを有する光電管によって構成されている。これら投光部４５ａと受光部４５ｂは、支持フレーム４４の左右の縦フレーム部４４ａ、４４ｂに設けられたセンサーブラケット（それぞれ図示せず）に各々取り付けられており、円筒体４２ｅの軸方向ほぼ中央位置を径方向に貫通するように円筒体４２ｅに開口形成された貫通孔４２ｋを通して互いに対向する位置に配置されており、コインＭの通過を遮光により検出するように構成されている。
【００７０】
上記構成を有する投入コイン送出装置４０から送出されたコインＭは、コイン受入認識装置としてのセレクタ５０に供給される。
【００７１】
セレクタ５０は、前面扉３の背面に沿って延在するように配置されており、セレクタボディ５１には、投入コイン送出装置４０のコイン送出口４２ｃから送出されたコインＭを貯留用通路８に導くためのコイン案内路５２が設けられている。
【００７２】
コイン案内路５２は、図１１に矢印Ａで示すように、セレクタボディ５１のボディ上面左側部分から垂下してセレクタボディ５１の略中央高さ位置でボディ右側に向かってカーブし、更に矢印Ｂで示すように所定の傾斜角で右側面の下部まで延在しており、コインＭが一列で通行することができるように形成されている。本実施の形態では、セレクタボディ５１から図の手前側に突出する突条５２ａによって構成されており、コインＭは、突条５２ａ上を転がりながら下流方向に流れる。
【００７３】
コイン案内路５２の途中位置には、図中に矢印Ｃで示すように、コイン案内路５２から分岐して排出用通路９に連通する分岐通路５３が形成されており、コイン案内路切替手段５４によってコインＭを供給用通路８と排出用通路９のいずれに供給するかを選択することができるように構成されている。
【００７４】
コイン案内路切替手段５４は、コイン案内路５２に対して出没可能な切替片５４ａと、この切替片５４ａを動作させるためのソレノイド（図示せず）とを備えており、ソレノイド非励磁時にはコイン案内路５２内に切替片５４ａを突出させることによって貯留用通路８へのコインＭの流れを阻害し、コインＭを突条５２ａの上から図中の手前側に移動させて下方に落下させて分岐通路５３に誘導し、分岐通路５３から排出用通路９に導いて、前面扉３のコイン払出口７からコイン受け皿１６に排出させる。また、ソレノイド励磁時にはコイン案内路５２外に切替片５４ａを没入させて、コインＭをコイン案内路５２に沿って移動させて、貯留用通路８に導き、筐体４の内部に収容されたホッパ１４に供給する。
【００７５】
コイン案内路５２の下流側位置には、コインＭの通過を検出するコイン通過検出部５５が設けられている。コイン通過検出部５５は、第１投入コイン通過検出センサ５５ａと第２投入コイン通過検出センサ５５ｂを備えており、少なくとも通過する１枚のコインＭを同時に検出しうる程度に近接した状態で上流側と下流側に並設されている。
【００７６】
コイン通過検出部５５は、コイン案内路切替手段５４のソレノイド非励磁時にコインＭがコイン案内路５２の途中で下方に落下して分岐通路５３に導かれるので、各投入コイン通過検出センサ５５ａ、５５ｂによりコインＭの通過を検出することはない。また、コイン案内路切替手段５４のソレノイド励磁時にはコインＭがコイン案内路５２を上流端から下流端まで移動するので、各投入コイン通過検出センサ５５ａ、５５ｂによりコインＭの通過を検出することができる。
【００７７】
次に、制御基板収納ボックス１２内に配設されているスロットマシン１のメイン制御基板６０等について図１２に基づいて説明する。図１２は、スロットマシン１の電気的構成を説明するブロック図である。
【００７８】
メイン制御基板６０には、演算装置である１チップマイコンとしてのＭＰＵ６１と、そのＭＰＵ６１に接続されると共にセンサ類やスイッチ類などの各種の入出力手段に接続された入出力ポート６２が搭載されている。
【００７９】
ＭＰＵ６１には、ＭＰＵ６１により実行される各種の制御プログラムや固定値データを記憶したＲＯＭ６３と、そのＲＯＭ６３内に記憶される制御プログラムの実行にあたって各種のデータ等を一時的に記憶するためのメモリであるＲＡＭ６４と、割込回路やタイマ回路、データ送受信回路等の各種回路（図示せず）等が内蔵されている。
【００８０】
入出力ポート６２には、遊技状態をリセットするためのリセットスイッチ１３ｂ、設定キーの操作により遊技の当選確率を複数段階に切り替えるための設定キースイッチ１３ｃ、１枚〜３枚ベットボタン３１、３２、３３、クレジットボタン３４、スタートレバー３５、ストップボタン３６、コイン存在検出センサ４５、第１投入コイン通過検出センサ５５ａ、第２投入コイン通過検出センサ５５ｂ、１〜３枚ベットランプ２５、クレジット枚数表示部２６、ゲーム数表示部２７、払出枚数表示部２８、サブ制御基板６５等が接続されている。
【００８１】
サブ制御基板６５は、メイン制御基板６０から送信されるコマンドを受信して所定の制御処理を行うものであり、本実施の形態では、振動手段４３の電動モータ４３ａに駆動電源を供給して振動を発生させる制御、スピーカ２２から効果音等の出力制御、表示用制御基板６６を制御して液晶ディスプレイ２３上に演出表示等を行わせるように構成されている。サブ制御基板６５には、上部ランプ２１、スピーカ２２、電動モータ４３ａ、表示用制御基板６６等が接続されており、表示用制御基板６６との間ではデータ等を双方向に送受信可能に構成されている。
【００８２】
電源基板６７は、上述した電源ボックス１３内に設けられており、メイン制御基板６０の他に、スロットマシン１の各電子機器に駆動電力を供給する電源部６８と、電源断の発生を監視する停電監視回路６９等の各種回路を備えている。スロットマシン１の電源オフ後には、電源基板６７の電源部６８からＲＡＭ６４にバックアップ電圧が供給される。
【００８３】
ＭＰＵ６１は、入出力ポート６２に接続されている各種センサ類、スイッチ類からの検出信号等に基づき、ＲＯＭ６３内に格納されているプログラムを実行することによって種々の処理を行う制御手段を構成する。例えば、コイン通路部４２の円筒体４２ｅ内にコインＭが流れ込み、コイン存在検出センサ４５の投光部４５ａと受光部４５ｂとの間の光路がコインＭによって遮光されると、コインＭの存在を知らせる検出信号がコイン検出センサ４５から入出力ポート６２を介してＭＰＵ６１に入力される。
【００８４】
ＭＰＵ６１は、コイン検出センサ４５から入力した検出信号をプログラムに基づいて解析し、円筒体４２ｅの中にコインＭが存在していると判断すると、入出力ポート６２を介して振動手段４３の電動モータ４３ａを駆動する信号をサブ制御基板６５に出力し、サブ制御基板６５から電動モータ４３ａに電源を供給して電動モータ４３ａのモータ回転軸を回転させる処理を行わせる。
【００８５】
そして、投光部４５ａと受光部４５ｂとの間の遮光が解除されて光路が確保された後、所定時間の経過により円筒体４２ｅの中にコインＭが存在していないと判断すると、電動モータ４３ａの駆動停止信号をサブ制御基板６５に出力し、電動モータ４３ａのモータ回転軸の回転を停止させる処理を行わせる。なお、コイン検出センサ４５を用いたコイン通路部５２内におけるコインＭの存在または不存在の検出は、サブ制御基板６５のＭＰＵ（図示せず）が検出信号に基づいて行うようにしても良い。
【００８６】
また、ＭＰＵ６１は、所定条件に基づきコインＭの受け入れを許可する場合には、セレクタ５０のソレノイドに励磁を行い、切替片５４ａをコイン案内路５２外に没入させる処理を行い、コイン案内路５２をコインＭが通過することによりコイン通過検出部５５が検出した検出信号に基づいて、コインＭを受け入れたことを認識する。また、コインＭの受け入れを拒否する場合には、セレクタ５０のソレノイドを非励磁とし、切替片５４ａをコイン案内路５２内に突出させる処理を行い、コインＭを分岐通路５３に誘導して排出用通路９からコイン受け皿１６に戻す。
【００８７】
次に、上記構成を有するスロットマシン１にコインＭを投入した場合における投入コイン送出装置４０及びセレクタ５０の動作等について図１３及び図１４に基づいて以下に説明する。図１３及び図１４は、投入コイン送出装置４０内におけるコインＭの状態を説明する図である。
【００８８】
まず最初に、コイン受け皿１６等から複数枚のコインＭを掴み取り、コイン投入口４１ａの上まで運んでからコイン投入口４１ａ内に落下させる。コイン投入口４１ａは、複数枚のコインＭを所定範囲内で略水平方向に拡散した状態で一括投入可能な大きさに形成された開口形状を有しており、これら複数枚のコインＭの投入作業を容易に行うことができる。
【００８９】
複数枚のコインＭは、例えば図１３及び図１４に示すように、無秩序な任意の姿勢状態でコイン投入口４１ａからコイン投入部４１内に入り込み、誘導部４１ｂの左右の傾斜側壁面４１ｄ、４１ｅ、受け壁面４１ｆおよび奥壁面４１ｇに当接しながらはね返って下方に向かって移動し、略水平方向に拡散した状態から漸次コイン供給口４１ｃに向かって集合する方向に誘導されて、コイン供給口４１ｃからコイン通路部４２に順次流れ込む。
【００９０】
ここで、受け壁面４１ｆがコイン供給口４１ｃに対向する位置に配置されており、コイン投入口４１ａから落下してきたコインＭをコイン通路部４２の先端部分から終端部分に向かって移動する方向に誘導するように傾斜形成されているので、コイン投入部４１に投入された複数枚のコインＭをコイン通路部４２に円滑に供給することができる。
【００９１】
また、誘導部４１ｂの左右の傾斜側壁面４１ｄ、４１ｅ、受け壁面４１ｆおよび奥壁面４１ｇは、コインＭの投入方向に対して互いに異なる傾斜角をもって傾斜形成されているので、コイン投入口４１ａから落下してくる複数枚のコインを、各コインＭが当接する壁面に応じて異なる速度でコイン供給口４１ｃに誘導することができる。これにより、投入されたコインＭをコイン供給口４１ｃに集中して誘導することを防ぎ、コイン供給口４１ｃにおけるコインＭの詰まり等を防止することができる。
【００９２】
なお、コインＭによるコイン供給口４１ｃにおけるコイン詰まりの発生については、本発明者により２０枚または３０枚のコインＭを繰り返し投入する実験を行うことによって改善されたことが判明した。
【００９３】
そしてまた、コインＭが起立した姿勢状態でコイン投入口４１ａに投入された場合は、受け壁面４１ｆ上で、または受け壁面４１ｆと左右の傾斜側壁面４１ｄ、４１ｅが協働してコインＭを積極的に左右方向に傾倒した姿勢状態とし、その傾倒した姿勢状態でコイン供給口４１ｃからコイン通路部４２に流れ込む。また、複数枚のコインＭが上下に積み重ねた状態でコイン投入口４１ａに投入された場合は、受け壁面４１ｆ上に沿って下方に移動しつつ左右の傾斜側壁面４１ｄ、４１ｅによってその重なり合いを積極的に崩すことができ、コイン供給口４１ｃからコイン通路部４２内に順番に供給することができる。
【００９４】
コインＭは、コイン送入口４２ｆから順番に内孔４２ｄ内に流れ込むと、内孔４２ｄの軸方向に沿って延在し、コインＭの移動方向に直交する方向に位置する両側端部が内孔４２ｄにそれぞれ点接触した状態で支持され、その両端部を中心として容易に回動することができる不安定な姿勢状態で内孔４２ｄの下方傾斜により内孔４２ｄ内を下方に向かって滑り落ちながら移動する。
【００９５】
特にコイン投入部４１の誘導部４１ｂによって積極的に左右方向に傾倒させて、その傾倒した姿勢状態のままで内孔４２ｄ内に供給することで、コインＭが内孔４２ｄ内で前転方向或いは後転方向に容易に回動できるようにしている。
【００９６】
そして、コインＭがコイン存在検出センサ４５の投光部４５ａと受光部４５ｂとの間の光路を遮ると、電動モータ４３ａの回転駆動が開始され、コイン通路部４２に振動が付与され、内孔４２ｄ内のコインＭにも振動が与えられる。この電動モータ４３ａの回転駆動は、投入された全てのコインＭがコイン通路部４２を通過し、投光部４５ａと受光部４５ｂとの光路が再び確保された後、所定時間が経過するまで継続される。コインＭは、振動手段４３により振動され、内孔４２ｄ内に留まる或いは詰まることなく、終端部分まで円滑に順番に移動することができる。
【００９７】
そしてまず、先頭のコインＭが円筒体４２ｅの終端部分でコイン触突壁４２ｂに触突すると、そのコインＭは、より安定した姿勢状態となるべく、両側端部を中心として回動し、コイン触突壁４２ｂに沿って起立した姿勢状態に姿勢変化する。
【００９８】
コインＭは、コイン触突壁４２ｂに沿って起立すると、自重により下方に向かって移動し、コイン触突壁４２ｂの下側に連続して開口形成されているコイン送出口４２ｃから落下し、コイン通路部４２の下方に迅速に送り出され、セレクタ５０に供給される。
【００９９】
次いで、先頭のコインＭの後に連続するコインＭ（２番目のコインＭ）も、同様にコイン触突壁４２ｂに触突してコイン触突壁４２ｂに沿って起立する姿勢状態となり、自重により下方に向かって移動してコイン送出口４２ｃから落下し、コイン通路部４２の下方に迅速に送り出される。以下、全てのコインＭについて同様に順番にコイン触突壁４２ｂに触突して起立する姿勢状態となり、コイン送出口４２ｃから下方に向かって迅速に送り出される。
【０１００】
ここで、特にコインＭが傾倒した姿勢状態で内孔４２ｄ内に供給され、コイン通路部４２の円筒体４２ｅが振動手段４３によって横軸部４２ｇを中心として上下方向に振動するので、コインＭをコイン触突壁４２ｂに触突させた際に、コインＭの両側端部を中心として上下方向に積極的に回動させることができ、より容易にコインＭをコイン触突壁４２ｂに沿って起立した姿勢状態に姿勢変化させることができる。
【０１０１】
また、上流側のコインＭ（第２のコイン）の荷重が下流側のコインＭ（第１のコイン）に付加されて、下流側のコインＭがコイン触突壁４２ｂに所定の押圧力で押圧されて挟持された状況となったときには、振動により下流側のコインＭに加えられる荷重や摩擦抵抗力を軽減することができる。したがって、複数枚のコインＭを順番に下流側からコイン送出口４２ｃより円滑に送り出すことができる。
【０１０２】
コイン送出口４２ｃから送り出されたコインＭは、セレクタ５０の上部からコイン案内路５２内に流れ込む。そして、コインＭの受け入れが許可されている場合は、コイン案内路５２を通過して、コイン通過検出部５５によりコインＭの通過が検出されて、コインＭを受け入れたことが認識される。一方、コインＭの受け入れが許可されていない場合は、コインＭはコイン案内路５２内に突出した切替片５４ａにより分岐通路５３に誘導され、排出用通路９からコイン受け皿１６に戻され、コインＭの受け入れは認識されない。
【０１０３】
上記構成を有するスロットマシン１によれば、投入コイン送出装置４０のコイン投入部４１は、コイン投入口４１ａからコイン供給口４１ｃに移行するに従って漸次狭窄するロート状に形成され、かつコインの投入方向に対して誘導部４１ｂの側壁面が互いに異なる傾斜角を有し、コイン供給口４１ｃがコイン投入口４１ａに対して所定方向に偏倚して形成される。これにより、複数枚のコインＭが任意の姿勢状態で所定の拡散状態をもって投入されると、各コインＭは当接する誘導部４１ｂの傾斜角に応じて互いに異なる方向にはね返り互いに異なる速度で上方から下方に移動し、コイン供給口４１ｃに誘導することができる。したがって、投入されたコインＭを迅速且つ円滑に投入コイン送出装置４０内に供給することができる。
【０１０４】
また、コイン投入部４１の誘導部４１ｂを構成する壁面は、互いに対向する壁面がコインの投入方向に対して異なる傾斜角を有しているだけでなく、全ての壁面の傾斜角が互いに異なっているので、投入された各コインＭが当接する誘導部の傾斜角に応じて異なる速度で上方から下方に移動し、コイン供給口へ向けたコインの誘導速度に差異を生じさせることができる。これにより、投入された複数枚のコインＭがコイン供給口４１ｃに集中するのを防ぎ、コイン詰まり等の不具合の発生を抑制することができる。
【０１０５】
そしてまた、コイン投入部４１のコイン供給口４１ｃは、コインＭの外径より若干大きい径で開口形成され、コイン投入部４１の下端部分を１枚のコインＭが通過できる程度の窮屈な形状としたことにより、コイン投入口４１ａ内に投入された無秩序な姿勢状態の複数枚のコインＭを、コイン供給口４１ｃへ向けて上方から下方に移動するに従って誘導部４１ｂによって傾倒した姿勢状態としつつ、コインＭの移動方向に１枚ずつ整列した姿勢状態で集めることができる。したがって、コイン通路部４２のコイン送入口４２ｆ内にコインＭが１枚ずつ供給されることになるので、コイン通路部４２の円筒部４２ｅ内でのコインＭの姿勢変更およびセレクタ５０への送出を円滑に行うことができ、セレクタ５０内でのコインＭの受け入れおよび認識を適切に行うことができる。
【図面の簡単な説明】
【０１０６】
【図１】スロットマシンの前面扉が閉じた状態を示す斜視図である。
【図２】スロットマシンの前面扉を開いた状態を示す斜視図である。
【図３】投入コイン送出装置の斜視図である。
【図４】同じく投入コイン送出装置の正面図である。
【図５】投入コイン送出装置の縦断面図である。
【図６】コイン投入部のＡ−Ａ線の断面図である。
【図７】コイン投入部のＢ−Ｂ線の断面図である。
【図８】コイン投入部を説明する図である。
【図９】コイン投入部を取り外した投入コイン送出装置の斜視図である。
【図１０】投入コイン認識手段を説明する図である。
【図１１】セレクタの内部構造を示す図である。
【図１２】スロットマシンの電気的構成を説明するブロック図である。
【図１３】投入コイン送出装置内におけるコインＭの状態を概略的に示す説明図である。
【図１４】同じく投入コイン送出装置内におけるコインＭの状態を概略的に示す説明図である。
【図１５】従来技術を説明する図である。
【符号の説明】
【０１０７】
１        スロットマシン（遊技機）
２        本体
３        前面扉
４        筐体
４０      投入コイン送出装置
４１      コイン投入部
４１ａ    コイン投入口
４１ｂ    誘導部
４１ｃ    コイン供給口
４１ｄ、４１ｅ  傾斜側壁面
４１ｆ    受け壁面
４１ｇ    奥壁面
４１ｊ    嵌合部
４２      コイン通路部
４３      振動手段
５０      セレクタ
Ｍ        コイン
【図１】
2006141842.tif 000003
【図２】
2006141842.tif 000004
【図３】
2006141842.tif 000005
【図４】
2006141842.tif 000006
【図５】
2006141842.tif 000007
【図６】
2006141842.tif 000008
【図７】
2006141842.tif 000009
【図８】
2006141842.tif 000010
【図９】
2006141842.tif 000011
【図１０】
2006141842.tif 000012
【図１１】
2006141842.tif 000013
【図１２】
2006141842.tif 000014
【図１３】
2006141842.tif 000015
【図１４】
2006141842.tif 000016
【図１５】
2006141842.tif 000017